(57)【要約】【課題】水生生物の生息場所を確保できる護岸構造および該護岸構造の施工方法を提供する。【解決手段】可撓性を有する基材シートに複数のコンクリートブロックが一体化されたブロックマットを備え、該複数のコンクリートブロックのうち一部のコンクリートブロックに切り欠きが設けられ、該切り欠きがコンクリートブロックの厚さ方向に貫通した植栽用孔を構成するとともに、該植栽用孔に水生植物が植栽されていることを特徴とする、護岸構造および該護岸構造の施工方法とする。【選択図】図２
2011106184.tif 000002
【特許請求の範囲】
【請求項１】
可撓性を有する基材シートに複数のコンクリートブロックが一体化されたブロックマットを備え、
前記複数のコンクリートブロックのうち一部の前記コンクリートブロックに切り欠きが設けられ、
前記切り欠きが前記コンクリートブロックの厚さ方向に貫通した植栽用孔を構成するとともに、前記植栽用孔に水生植物が植栽されていることを特徴とする、護岸構造。
【請求項２】
前記複数のコンクリートブロックのうち少なくとも一部が水中に敷設されており、水中に敷設される前記コンクリートブロックのうち一部の前記コンクリートブロックに前記切り欠きが設けられている、請求項１に記載の護岸構造。
【請求項３】
隙間をもって隣接する前記コンクリートブロックのそれぞれの角部に前記切り欠きが設けられ、該複数の切り欠きが１つの前記植栽用孔を構成する、請求項１または２に記載の護岸構造。
【請求項４】
前記コンクリートブロックに設けられた前記切り欠きに連通した他の切り欠きが前記コンクリートブロックの底面に設けられている、請求項１〜３のいずれかに記載の護岸構造。
【請求項５】
可撓性を有する基材シートに複数のコンクリートブロックが一体化されたブロックマットを備え、前記複数のコンクリートブロックのうち一部の前記コンクリートブロックに切り欠きが設けられ、前記切り欠きが前記コンクリートブロックの厚さ方向に貫通した植栽用孔を構成するとともに、前記植栽用孔に水生植物が植栽されている護岸構造の施工方法であって、
前記ブロックマットを敷設する工程と、
前記植栽用孔に前記水生植物を植栽する工程と、
を含むことを特徴とする、護岸構造の施工方法。
【発明の詳細な説明】
【技術分野】
【０００１】
本発明は、地表浸食防止用のブロックマットを備えた護岸構造に関し、より詳細には水生生物の生息場所を確保できる護岸構造、および該護岸構造の施工方法に関する。
【背景技術】
【０００２】
河川や水路などの護岸工事では、コンクリートで法面を覆うことが基本である（特許文献１）。中小河川や水路では、漏水を防止するため、川底もコンクリートで固めた３面コンクリート張り構造が多く採用されていた。また、護岸工事が行われた河川や水路は、流下能力を向上させるために流れが直線状になるように変更されていた。
【０００３】
３面コンクリート張り構造や直線状の河川などは、流下能力の向上などの利点を有するが、水生生物の生息場所として不向きであった。流下能力が向上された河川などでは、小魚などの水生動物が速い水流に耐えられずに流されてしまっていた。また、コンクリート張りにされることで、小魚や蛙などの隠れ場所や産卵場所となる水生植物が生えず、それらの動物の繁殖が妨げられていた。このような理由から、従来の護岸工事が完了した箇所からは水生生物の種の数および生息数が減少し、生態系の単純化が生じていた。
【０００４】
上記問題に鑑みて、水生生物の生息場所を確保しつつ護岸できる構造の開発が望まれている。水生生物の生息場所を確保しつつ護岸できる構造として、これまでには、魚巣を設けた護岸ブロック（特許文献２）や水路の側面にメッシュ状部材を配置して生物の生息領域の確保を図る護岸構造（特許文献３）などが提案されている。
【先行技術文献】
【特許文献】
【０００５】
【特許文献１】特開２００６−８３５７１号公報
【特許文献２】特開平１０−４８１９号公報
【特許文献３】特開２００５−９０９８号公報
【発明の概要】
【発明が解決しようとする課題】
【０００６】
しかしながら、これまでに提案されている護岸構造では、水生生物の生息場所の十分な回復にはなりえていなかった。
【０００７】
そこで、本発明は、水生生物の生息場所を確保できる護岸構造および該護岸構造の施工方法を提供することを課題とする。
【課題を解決するための手段】
【０００８】
以下、本発明について説明する。なお、本発明の理解を容易にするために添付図面の参照符号を括弧書きにて付記するが、それにより本発明が図面の形態に限定されるものではない。
【０００９】
第１の本発明は、可撓性を有する基材シート（１５）に複数のコンクリートブロック（１１、２１）が一体化されたブロックマット（１０）を備え、該複数のコンクリートブロックのうち一部のコンクリートブロック（１１ａ、１１ｂ、２１）に切り欠き（１２、２２、２３）が設けられ、該切り欠きがコンクリートブロックの厚さ方向に貫通した植栽用孔（１３）を構成するとともに、該植栽用孔に水生植物（３）が植栽されていることを特徴とする、護岸構造（１００）である。
【００１０】
本発明において「厚さ方向」とは、護岸構造を施工したときにブロックマットが敷設された地表に対して直交する方向を意味する。また、本発明において護岸構造を施工したときに地表側となる面を「底面」といい、その反対側を「上面」といい、コンクリートブロックの底面と上面との間の面を「側面」ということがある。
【００１１】
また、第１の本発明の護岸構造（１００）において、複数のコンクリートブロック（１１、２１）のうち少なくとも一部が水（４）中に敷設されており、水中に敷設されるコンクリートブロックのうち一部のコンクリートブロック（１１ａ、１１ｂ、２１）に切り欠き（１２、２２、２３）が設けられていることが好ましい。
【００１２】
また、第１の本発明の護岸構造（１００）において、隙間をもって隣接するコンクリートブロック（１１ａ、１１ｂ）のそれぞれの角部に切り欠き（１２）が設けられ、該複数の切り欠きが１つの植栽用孔（１３）を構成することが好ましい。
【００１３】
さらに、第１の本発明の護岸構造（１００）において、コンクリートブロック（２１）に設けられた切り欠き（２２）に連通した他の切り欠き（２３）がコンクリートブロックの底面に設けられていることが好ましい。
【００１４】
第２の本発明は、可撓性を有する基材シート（１５）に複数のコンクリートブロック（１１、２１）が一体化されたブロックマット（１０）を備え、該複数のコンクリートブロックのうち一部のコンクリートブロック（１１ａ、１１ｂ、２１）に切り欠き（１２、２２、２３）が設けられ、該切り欠きがコンクリートブロックの厚さ方向に貫通した植栽用孔（１３）を構成するとともに、該植栽用孔に水生植物（３）が植栽されている護岸構造（１００）の施工方法であって、ブロックマットを敷設する工程と、植栽用孔に水生植物を植栽する工程と、を含むことを特徴とする、護岸構造の施工方法である。
【発明の効果】
【００１５】
本発明によれば、水生生物の生息場所を確保できる護岸構造および該護岸構造の施工方法を提供することができる。
【図面の簡単な説明】
【００１６】
【図１】本発明の護岸構造が水路に敷設されたときの断面を概略的に示す図である。
【図２】本発明に用いるブロックマットの一例を概略的に示す上面図である。
【図３】図２に示したブロックマットに備えられるコンクリートブロックを概略的に示す図である。
【図４】図２に示したＩＶ−ＩＶでの断面を概略的に示す図である。
【図５】本発明に用いるブロックマットに備えられるコンクリートブロックの他の形態例を概略的に示す図である。
【発明を実施するための形態】
【００１７】
本発明の護岸構造は、河川、水路、溜池などに施工することができる。以下、本発明の実施形態について図面を用いて説明する。なお、本実施形態は、本発明を実施するための一形態に過ぎず、本発明は本実施形態によって限定されるものではなく、本発明の要旨を逸脱しない範囲で種々の変更実施の形態が可能である。
【００１８】
図１は、本発明の護岸構造１００が水路に施工されたときの断面を概略的に示す図である。図１では、図面が煩雑になるのを防ぐため一部符号を省略している。その他の図においても同様に符号を省略している場合がある。なお、図１では、水の流れに対して略直交する方向の鉛直断面がＵ字型である水路に、本発明の護岸構造を施工した場合について例示しているが、本発明の護岸構造の施工場所は、ブロックマットを施工可能な場所であれば、特に限定されない。例えば、逆台形や三角形などの断面を有する水路にも施工することができる。図２は、護岸構造１００に備えられるブロックマット１０の一部を概略的に示す上面図である。
【００１９】
図１に示すように、護岸構造１００は水路の法面１、１および水路床部２に沿って施工されている。護岸構造１００はブロックマット１０を備えており、ブロックマット１０は一部が水４に浸るように敷設されている。ブロックマット１０の水４中に敷設される部分の一部のコンクリートブロック１１、１１、…には植栽用孔１３が設けられている（図２参照）。さらに、植栽用孔１３には水生植物３、３、…が植栽されている。
【００２０】
図２を参照しつつ、ブロックマット１０についてより詳細に説明する。ブロックマット１０は、可撓性を有する基材シート１５と、該基材シート１５の上面側に一体化された複数のコンクリートブロック１１、１１、…とを備えている。基材シート１５とコンクリートブロック１１、１１、…とを一体化する方法は特に限定されず、従来の方法を用いることができる。具体的な方法としては、ステンレス鋼製のステープルを基材シート１５の底面側からコンクリートブロック１１、１１、…に向けて打ち込む方法などが挙げられる。
【００２１】
本発明において、基材シート１５としては、従来のブロックマットに用いられるものを特に限定されることなく用いることができる。基材シート１５の具体例としては、合成繊維からなる不織布などを挙げることができる。
【００２２】
本発明において、コンクリートブロック１１、１１、…の材料としては、従来のブロックマットに用いられるものを特に限定されることなく用いることができる。コンクリートブロック１１、１１、…には、形状が異なるコンクリートブロック１１ａ、１１ｂおよび１１ｃがある。コンクリートブロック１１ａおよび１１ｂは、それぞれコンクリートブロック１１ｃと略同形状のコンクリートブロックの一部を切り欠いたものである。
【００２３】
以下に図２〜図４を参照しつつ、コンクリートブロック１１ａおよび１１ｂの形状、並びに、植栽用孔１３について説明する。図３（ａ）は、１つのコンクリートブロック１１ａを概略的に示す図である。図３（ｂ）は、１つのコンクリートブロック１１ｂを概略的に示す図である。図４は、図２に示したＩＶ−ＩＶでのブロックマット１０の断面を概略的に示す図である。
【００２４】
図３（ａ）および図３（ｂ）において破線で示した部分が切り欠き１２である。図３（ａ）に示すように、コンクリートブロック１１ａは一箇所に切り欠き１２が設けられており、図３（ｂ）に示すように、コンクリートブロック１１ｂは二箇所に切り欠き１２が設けられている。これらの切り欠きによって、図２および図４に示すように、それぞれコンクリートブロック１１、１１、…の厚さ方向（図２の紙面奥／手前方向、図４の上下方向）に貫通した植栽用孔１３が構成される。
【００２５】
植栽用孔が備えられていることによって、水生植物を繁茂させることができる。ブロックマットを水面上に敷設する場合は、該ブロックマット上に土が溜まり、そこで植物は発芽することができる。一方、ブロックマットを水中に敷設した場合は、土は水によって流されてしまうためブロックマット上に土が溜まりにくい。植栽用孔に土などとともに水生植物を植栽することによって、水生植物を繁茂させることができる。
【００２６】
図２〜図４に示すように、コンクリートブロック１０は、隙間をもって隣接するコンクリートブロック１１、１１、…のそれぞれの角部に設けられた切り欠き１２、１２、…によって構成される植栽用孔１３、１３、…を有している。このようにして対角上のコンクリートブロック１１、１１、…の角部に設けられた切り欠き１２、１２、…を４つ集めるようにして植栽用孔１３を構成することにより、護岸構造１００全体に水生植物３、３、…を繁茂させ易くなる。すなわち、水生植物の根は地表に沿って成長するため、植栽用孔１３に植栽された水生植物３が成長したときに、コンクリートブロック１１、１１、…の目地（隣り合うコンクリートブロック１１、１１、…の間に形成されている隙間を「目地」という。以下同じ。）を通って分茎した根茎を伸長させることができ、護岸構造１００全体に水生植物３、３、…を繁茂させることができる。
【００２７】
植栽用孔１３の大きさは、ブロックマット１０を敷設後に水生植物３を植栽可能な大きさであれば特に限定されないが、基材シート１５に平行な方向の断面が２５ｍｍ角から７５ｍｍ角程度の大きさであることが好ましい。植栽用孔１３の大きさが小さすぎるとブロックマット１０を敷設後に水生植物３を植栽することが困難になり、大きすぎると水生植物３の根茎を保持することが困難になり、水生植物３を繁殖させられない虞があるためである。また、個々の植栽用孔１３は独立して設けるよりも、上記のように、目地を通して根茎が横方向（地面に沿った方向）に伸長して隣接するコンクリートブロック１１、１１、…の隙間からも繁茂できるように、目地と連続するように設けることが望ましい。
【００２８】
また、１つのブロックマット１０に設けられる植栽用孔１３は、ブロックマット１０の上面視において千鳥状になるようにしてコンクリートブロック１１の対角線上に設けることが望ましく、１マット（１．６ｍ×２．８ｍ）に設けられる植栽用孔１３の数は、１１個〜２２個程度が好ましい。すなわち、植栽用孔１３の数は、２．５〜５．０個／ｍ２程度であることが好ましい。植栽用孔１３が多すぎると水生植物３が繁殖しすぎて河川の流下能力を著しく低下させる虞や、護岸効果が不十分になる虞がある。一方、１つのブロックマット１０に設けられる植栽用孔１３の数が少なすぎる場合は、水生植物３の繁殖が不十分となり、水生生物の生息場所の確保が不十分になる虞がある。
【００２９】
なお、植栽用孔１３は少なくとも水に浸かることがある部分のブロックマット１０の一部に設けられていればよいが、水路床部２上に敷設される部分には設けられていないことが好ましい。ブロックマット１０のうち水路床部２に敷設される部分は、コンクリートブロック１１、１１、…同士の隙間を小さくするとともに該コンクリートブロック１１、１１、…の上面を平滑にすることによって、水路の排泥作業を行う際に重機（バックホウ）で泥を掻き取り易くすることができる。
【００３０】
上述したように所定の大きさ、および数の植栽用孔１３を所定の場所に設けることによって、水生植物３、３、…の植生を制御し、護岸効果や水路としての機能（流下能力）を維持しつつ、水生生物の生息場所を確保することができる。
【００３１】
植栽用孔１３に植栽することができる水生植物３は水中で繁殖できる植物であれば特に限定されないが、抽水植物や沈水植物が好ましい。具体的には、アシカキ、コウガイ、イトモ等が好ましい。
【００３２】
植栽用孔１３に水生植物３を植栽する際には、数本の水生植物３を纏めて茎の部分を布なのでくるむことが好ましい。そうすることによって、水生植物３の茎が折れることを防止するとともに乾燥を防止することができる。また、水生植物３の根茎と保水機能を有するピートモスのような土壌とを一緒にしたものを植栽用孔１３に充填することが好ましい。ブロックマット１０を敷設した後、ピートモスは水分を吸収し膨張するため、流水が作用しても植栽用孔１３から流出することがない。植栽用孔１３に植栽された水生植物３は成長し、その根茎は基材シート１５を貫通して下地へ伸長するので、ブロックマット１０と地表とを一体化させることができる。
【００３３】
これまでに説明したように、本発明の護岸構造によれば、ブロックマットによる護岸効果を得つつ、水生植物を繁殖させることができる。水生植物は水中で小魚やエビ等の隠れ場所やメダカ等の産卵場所となり、良好な生育環境を創造することができる。また、水生植物が水路を流れる水の障害となり、水の流れが弱められることによって、小魚等が水生植物の陰に隠れ易くなるという効果もある。
【００３４】
河川、水路、池などにおいて底面とその両側の法面との３面にブロックマット１０を敷設する場合は、護岸の法勾配は、１：１．０から１：１．５の範囲とすることが望ましい。かかる形態とすることによって、水路に落ちたカエルなどが這い上がり易くなる。例えば、農地脇に設けられた水路と農地との間をカエルが行き来することが可能となることによってカエルを繁殖させることができる。また、コンクリートブロック１１、１１、…の上面を擬石として形成することにより、コンクリートブロック１１、１１、…の表面の凹凸で滑り止め機能を発揮させ、カエルなどがより這い上がり易くなるようにすることができる。
【００３５】
本発明ではブロックマットを用いて護岸構造を構成しているため、護岸すべき岸辺の法面や底面にその広さに応じて適宜の数だけ配置することができるので、従来のように水路などをコンクリートで固める場合に比べて、極めて短期間で護岸を構築することができ、施工費を低減することができる。また、コンクリートブロックの目地部分には、泥が堆積するためドジョウなどの隠れ場所となるという効果も得られる。
【００３６】
これまでの本発明の説明では、コンクリートブロックの角部に切り欠きが設けられている形態について説明したが、本発明はかかる形態に限定されない。コンクリートブロックに設けられた切り欠きによって植栽用孔を構成することができればよく、例えば、図５に示すような形態であってもよい。本発明に用いるブロックマットに備えられるコンクリートブロックの他の形態例であるコンクリートブロック２１を図５に概略的に示す。図５（ａ）は、コンクリートブロック２１の上面図である。図５（ｂ）は、図５（ａ）に示した矢印Ｖｂの方向から見たコンクリートブロック２１の側面図である。図５（ｃ）は、図５（ａ）に示したＶｃ−Ｖｃでのコンクリートブロック２１の断面図である。
【００３７】
コンクリートブロック２１は、側面に切り欠き２２を備えており、該切り欠き２２と、コンクリートブロック２１に隙間をもって隣接する他のコンクリートブロック２１（不図示）に同様に設けられた切り欠き２２とによって、植栽用孔を構成することができる。また、コンクリートブロック２１には、切り欠き２２に連通した他の切り欠き２３が底面に備えられている。コンクリートブロック２１の底面にも切り欠き２３を設けることによって、水生植物３を植栽する際に、該水生植物３の根茎を切り欠き２３まで押し込むことができる。水生植物３の根茎を切り欠き２３まで押し込むことによって、水生植物３の根茎を保持し易くなる。また、水生植物３が成長したときに、根茎が基材シート１５を貫通し易くもなる。
【００３８】
さらに植栽用孔の他の形態例としては、植栽用孔が１つのコンクリートブロックの一部に設けられた孔によって構成されていてもよい。ただし、コンクリートブロックの生産性の観点や、水生植物の根茎を伸長させるという観点からは、コンクリートブロックの角部や側面に設けられた切り欠きによって植栽用孔を構成することが好ましい。
【００３９】
以上、現時点において最も実践的であり、かつ好ましいと思われる実施形態に関連して本発明を説明したが、本発明は本願明細書中に開示された実施形態に限定されるものではなく、特許請求の範囲および明細書全体から読み取れる発明の要旨あるいは思想に反しない範囲で適宜変更可能であり、そのような変更を伴う護岸構造および護岸構造の施工方法もまた本発明の技術的範囲に包含されるものとして理解されなければならない。
【符号の説明】
【００４０】
１  水路の法面
２  水路床部
３  水生植物
４  水
１０  ブロックマット
１１  コンクリートブロック
１２  切り欠き
１３  植栽用孔
１５  基材シート
２１  コンクリートブロック
２２、２３  切り欠き
１００  護岸構造
【図１】
2011106184.tif 000003
【図２】
2011106184.tif 000004
【図３】
2011106184.tif 000005
【図４】
2011106184.tif 000006
【図５】
2011106184.tif 000007